(57)【要約】【課題】本発明は、紙等からなる暦カードを取り付けたポケットに差し込んで使用するカレンダー収納体であり、安価で、かつ簡単に製造可能であり、しかも時間が経過しても劣化せず見栄えのよいカレンダー収納体などを提供することを目的とする。【解決手段】本発明は横方向に折り畳み可能な折り目（１８）を複数有し、最上に位置する折り目の上側には係止孔（１５）を有する係止片（１１）を設け、また最下に位置する折り目の下側には名入れ用の名入れ片（１２）が連設されたプラスチック製素材からなる支持体（１０）を有するカレンダー収納体で、前記支持体の各折り目の間には、横方向から暦カード等のカード状物を差し込み収納する切り欠き、切り込みを設けた差し込み口（１６）を有する透明なプラスチックからなるポケット（１３）が設けられていることを特徴とするカレンダー収納体（２０）である。【選択図】図１
2005335152.tif 000002
【特許請求の範囲】
【請求項１】
少なくとも横方向に折り畳み可能な折り目を複数有し、最上に位置する折り目の上側には係止孔を有する係止片が連設され、また最下に位置する折り目の下側には名入れ用の名入れ片が連設されたプラスチック製素材からなる支持体を有するカレンダー収納体であって、前記支持体の各折り目の間には、横方向から暦カード等のカード状物を差し込み収納する差し込み口を有する透明プラスチック製素材からなるポケットが設けられていることを特徴とするカレンダー収納体。
【請求項２】
前記差し込み口を有するポケットは、縦に三個設けられていることを特徴とする請求項１に記載のカレンダー収納体。
【請求項３】
前記係止片の裏面には硬質プラスチック素材の補強片と、名入れ片裏面には支持体と同じ素材のプラスチックの補強片により補強されていることを特徴とする請求項１又は２記載のカレンダー収納体。
【請求項４】
前記ポケットの差し込み口の上端及び下端近傍には切り欠きを有し、差し込み口の所定位置には、指掛け用切り込みが設けられていることを特徴とする請求項１〜３のいずれかに記載のカレンダー収納体。
【請求項５】
複数枚の暦カードと請求項１〜４のいずれかに記載のカレンダー収納体とから成ることを特徴とするカレンダー。
【発明の詳細な説明】
【技術分野】
【０００１】
本発明は、紙等からなるカード状のカレンダーを取り付けたポケットに差し込んで使用するカレンダー収納体及びカレンダーに関するものである。
【背景技術】
【０００２】
従来より、透明なプラスチックケースにカード状の暦カードを１２ヵ月分表紙と共に挿入し月日の経過と共に一枚（１ヵ月分）づつ抜き取る卓上用のカレンダー収納体が利用されている。
【０００３】
しかしながら、仕事等により先の月日、或いは数ヵ月先の予定を確認する必要が生じた場合、全部のカレンダーを取り出して確認することになる。また、元に戻す場合も手間がかかる等の使用上面倒なことが生ずることが多かった。このためカレンダー収納体でありながら数ヵ月分の暦カードを複数個のポケット或いは係止具を設置し見ることを可能にしたポケット或いは係止具を連接したカレンダー収納体が提案されている。
【０００４】
この一例を示すと、図８に示すように、支持板（３２）を２個つづの連結具（３５）により４枚連接し、各支持板（３２）上の上下にコ字上の暦カードの差し込み具（３６）を設け、この上下に設けた差し込み具（３６）の間に各々の暦カード（３３）を挿入したものである。また、卓上用ではないので最上部に壁や柱等に吊り下げ用の紐（３１）を取り付けたものである。図８に示すカレンダーは、ポケットに暦カードを挿入するカレンダーでありながら数ヵ月分の暦カードを見ることを可能にしたものであるが製造工程が複雑であり、製造コストの問題も残されている。
【０００５】
特許文献は以下の通り。
【特許文献１】実開平６−２１０６６号公報
【発明の開示】
【発明が解決しようとする課題】
【０００６】
上記に示す（実開平６−２１０６６号）カレンダーは、支持板（３２）と連結具（３５）が別部材であり、また、吊り下げ用の紐（３１）も別部材であるため製造工程が複雑で、かつ製造コストも高くなる。さらに、自社の宣伝のために顧客に配布されるカレンダー、贈呈されるカレンダーには企業名や個人名等を入れる通称名入れ部が必要であるが、これに相当するものがなく宣伝用のカレンダーとしては不十分である。
【０００７】
そこで本発明は、上記の問題を解決するためになされたもので、紙等からなる暦カードを取り付けたポケットに差し込んで使用するカレンダーであり、安価で、かつ簡単に製造可能であり、しかも時間が経過しても劣化せず見栄えのよいカレンダー収納体及びカレンダーを提供することを目的とするものである。
【課題を解決するための手段】
【０００８】
本発明の請求項１に係る発明は、
少なくとも横方向に折り畳み可能な折り目を複数有し、最上に位置する折り目の上側には係止孔を有する係止片が連設され、また最下に位置する折り目の下側には名入れ用の名入れ片が連設されたプラスチック製素材からなる支持体を有するカレンダー収納体であって、前記支持体の各折り目の間には、横方向から暦カード等のカード状物を差し込み収納する差し込み口を有する透明なプラスチック製素材からなるポケットが設けられているこ
とを特徴とするカレンダーである。
【０００９】
請求項２に係る発明は、請求項１に記載のカレンダー収納体において、
前記差し込み口を有するポケットは、縦に三個設けられていることを特徴とするものである。
【００１０】
請求項３に係る発明は、請求項１又は２記載のカレンダー収納体において、
前記係止片の裏面には、硬質プラスチック素材の補強片と、名入れ片裏面には支持体と同じ素材のプラスチックの補強片により補強されていることを特徴とするものである。
【００１１】
請求項４に係る発明は、請求項１〜３のいずれかに記載のカレンダー収納体において、
前記ポケットの差し込み口の上端及び下端近傍には切り欠きを有し、差し込み口の所定位置には、指掛け用切り込みが設けられていることを特徴とするものである。
【００１２】
請求項５に係る発明は、複数枚の暦カードと請求項１〜４のいずれか記載のカレンダー収納体からなることを特徴とするものである。
【発明の効果】
【００１３】
本発明の効果として、
請求項１記載のカレンダー収納体によれば、ポケットに収納し、かつ表示する暦カードをその時その時で換えることで、当該月等必要な月を常に表示させることができる。また、折り目に沿って折り畳むことで、不使用時はコンパクトにまとめて保管することが可能である。
【００１４】
請求項２記載のカレンダー収納体によれば、ポケットが縦に三個設けられているので、常に３ヵ月分の暦カードを表示することができる。しかも、上から当月、翌月、翌々月等の規則的な順番を常に維持することができる。
【００１５】
請求項３記載のカレンダー収納体によれば、係止片の裏面には硬質プラスチック素材の補強片が、名入れ片の裏面には支持体と同じ素材のプラスチック補強片により補強されているので、係止片、名入り片に時間と共に、反りや歪みの発生を抑える。また、支持体全体にわたる皺の発生を防止することができる。特に、係止片はカレンダー全体の重量で係止孔が縦に長く伸びることも防止することができる。
【００１６】
請求項４記載のカレンダー収納体によれば、ポケット差し込み口の上端及び下端近傍には切り欠きが設けられており、また、差し込み口の所定の位置には指掛け用の切り込みが設けられているので、暦カードを出し入れするために差し込み口を広げた際、差し込み口上端及び下端に力が懸かってもポケットのシール部分の破損を防止することができる。また、このことはポケットに収納している暦カードを取り出し易くするものである。
【００１７】
請求項５記載のカレンダーによれば、請求項１〜４記載のカレンダー収納体と複数の暦カードから成るカレンダーであり、それぞれの表面へのデザインを工夫することで、意匠性に優れたカレンダーが得られる。
【発明を実施するための最良の形態】
【００１８】
本発明を図に基づき最良の形態を詳細に説明する。
【００１９】
図１は、本発明の一実施例におけるカレンダー収納体を示すもので、（Ａ）はカレンダー収納体を表面側から見た斜視図であり、（Ｂ）は裏面側から見た斜視図である。
【００２０】
本発明のカレンダー収納体は、３つのポケットで３ヵ月分のカレンダーが一目でわかる便利なカレンダーである。また使用期間終了後は、ポストカードやお気に入りの写真等自由なレイアウトで収納でき、ポストカードや写真の収納ケースとして使える。また素材として塩化ビニール（ＰＶＣ）ソフトケースを使用しているものであります。
【００２１】
最良の形態を詳細に説明すると、図１（Ａ），（Ｂ）に示すように、本発明のカレンダー収納体（２０）は、塩化ビニール等からなる支持体（１０）上の少なくとも横方向に折り畳み可能な折り目（１８）を複数本（本発明の場合は４本）熱圧により設けたもので、最上部に位置する折り目（１８）の上側には係止孔（１５）を有する係止片（１１）が連設され、また最下部に位置する折り目（１８）の下側には名入れ用の名入れ片（１２）が連設されたプラスチック製素材からなる支持体を有するカレンダー収納体である。さらに、前記支持体（１０）上の各折り目の間には、横方向からカレンダー等のカード状物を差し込み収納する差し込み口（１６）を開口し、他の三方を熱シール（ｓ，ｓ，ｓ）した透明なプラスチック製素材によるポケット（１３）を設けたカレンダー収納体（２０）である。この前記差し込み口を有するポケット（１３）は、図に示すように、折り目間に縦に上段、中段、下段と三個を設けたものである。
【００２２】
さらに、図１（Ｂ）に示すように、裏面側の支持体（１０）に表側でシールしたポケット（１３）のシール部分（ｅ，ｅ，ｅ）の跡が写し出されると共に、前記係止片（１１）の裏面側には、硬質プラスチック素材（ポケットに使用された硬質透明塩化ビニール）の補強片（２１）と、名入れ片（１２）の裏面には支持体（１０）と同じ素材の塩化ビニールによる補強片（２１ａ）を二重に貼着して補強していることを特徴とする。
【００２３】
先ず、係止片（１１）に対して補強片（２１）を貼着する理由は、塩化ビニール素材を使用しているので一つは係止孔（１５）により暦カードをカレンダー収納体に収納したカレンダーを吊り下げた場合に、カレンダーの重みで係止孔が変形（伸びてしまう、図示はしない）することがある。また一方、係止片の形状によっては、例えば係止片を方形状にした場合、両角部が時間の経過とともに垂れてしまう。従って、補強片を貼着すると共に、本発明においては係止片の角部を取り丘陵状の形状としたものである。
【００２４】
また、名入れ片（１２）の裏面側からの補強片（２１ａ）は、支持体と同じ塩化ビニール素材を使用しているが、補強しない場合は、名入れ部分に、皺や反り、歪みが生じるため名入れのための印刷や箔押し等ができなくなる恐れがあるために補強する。さらに、補強する際に、係止片の補強と同じ硬質塩化ビニールを使用すると、伸縮の差が生じて反りが発生することがあるので、支持体（１０）と同じ塩化ビニールによる補強がよい。
【００２５】
尚、支持体（１０）のみでこのカレンダー収納体を作成した場合、吊り下げて時間の経過と共に、縦に皺や歪みが発生する（図示はしない）のでこの両補強片（２１，２１ａ）で補強することが好ましい。
【００２６】
次に、図２に示すように、前記ポケット（１３）の差し込み口（１６）の上端及び下端近傍には切り欠き（ｋ，ｋ）を設けると共に、差し込み口（１６）の所定位置には、指掛け用切り込み（ｈ）が設けたもので、暦カードの出し入れの際、容易に出し入れを行うことができる。また、前記切り欠きを設けたことにより、暦カードを出し入れする際に、上下のシール部（ｓ，ｓ）に直接力が加わらず、シール部の破損を防ぐことができる。
【００２７】
尚、一般的にポケット（１３）の差し込み口（１６）は上方に向かって開口されている場合も見られるが、上方に向かって差し込み口を設けると、時間が経過することによりこの貼着したポケットのフィルムに皺が入ったり、埃が入る等見栄えが悪くなるので、上側より横方向に差し込み口を設けることが望ましい。
【００２８】
本発明のカレンダー収納体に用いる素材として、塩化ビニールのシートを用いたが、塩化ビニールはダイオキシン発生の原因となる等、素材的に環境に良いとは言えないが、他の素材に比較すると、ソフト感があり、スジ入れ等加工性に優れている。例えば、図３（Ａ）に示すように、製造当初は折り線に沿ってジクザク状になっているが吊り下げて１日程度経過すると、暦カードをカレンダー収納体に収納したカレンダーの重量等により凹凸は消えて、図３（Ｂ）に示すような板状の見栄えの良いポケットカレンダーとなる。
【００２９】
尚、本発明に用いた素材は、支持体（１０）部分は不透明な塩化ビニールで厚さ０．３〜０．５ｍｍであり、好ましくは０．４ｍｍである。また、ポケット（１３）には透明な塩化ビニールで厚さ０．２〜０．４ｍｍであり、好ましくは０．３ｍｍである。また、塩化ビニールに限定するものではないが、他の材質としてはポリプロピレン、ポリオレフィン等が使用可能である。
【００３０】
この暦カードをカレンダー収納体に収納したカレンダーの使用方法は、図示はしないが、一般的なカレンダーとして常にカレンダー収納体の上段ポケットに表紙、１月、４月、７月、１０月の暦カードを差し込み、中段ポケットには２月、５月、８月、１１月を入れ、下段のポケットには、３月、６月、９月、１２月を入れて使用するものである。これらはカレンダー収納体の形状、ポケット数やポケットの並びを変化させることにより使用方法が各種変化させることができる。
【００３１】
次に、ポケット数、カレンダー収納体形状、等を変化させた別形態のカレンダーの実施例を図に基づき説明する。
【実施例１】
【００３２】
図４に基づき実施例１を説明する。図４に示すように、クリアポケット（１３）の数を折り目間に縦に４段設けたものである。従って、折れ目（１８）も５本になる。他の形状、係止片（１１）、名入れ片（１２）についても最上と最下段に設けて、また裏面側の補強片（２１，２１ａ）も本発明と同様とした。また、使用方法は、１段目のポケットには、表紙と１、５、９月の暦カードを差し込み、２段目のポケットには、２、６、１０月分を、３段目のポケットには、３、７、１１月分を、４段目には４、８、１２月分の暦カードをそれぞれ差し込むものである。但し、この使用方法は限定するものではなく、それぞれに合わせて自由に変更することが可能である。
【実施例２】
【００３３】
図５に基づき実施例２を説明する。図５に示すように、全体の形状を方形状にしてポケット（１３）を２個横に並列にして、かつ上下２段に取り付けたものである。従って、折り目（１８）は３本とし、係止片（１１）と名入れ片（１２）を最上と最下段に設けて本発明と同様とした。その他は実施例１に準ずる。
【実施例３】
【００３４】
図６に基づき実施例３を説明する。図６に示すように、全体の形状を横拡大形にして、３個のポケット（１３）を横一列に並べて、横１段にしたものである。従って、折れ目（１８）は上下２本となる。係止片（１１）と名入れ片（１２）を最上と最下段に設けて本発明と同様とした。基本的な使用方法は通常通りであるが、それぞれに合わせて自由に変更することが可能である。
【実施例４】
【００３５】
図７に基づき実施例４を説明する。図７に示すように、全体の形状は短冊形にして、１個の大きなポケット（１３）を上段の大きなスペースに取り付け、下段に少し狭くしたス
ペースに２個のポケット（１３）を横並列に並べたものである。従って、折れ目（１８）は上下３本となる。また、係止片（１１）と名入れ片（１２）を最上と最下段に設けて本発明と同様とした。この使用方法は、上段の大きなポケットに自分の写真や風景画等の写真等で装飾するもので、下段のポケットには通常の暦カードを入れるようにしたものであるが、限定はせず自由に変更可能である。その他は本発明と同様とした。
【産業上の利用可能性】
【００３６】
本発明の活用方法として、カレンダーとして使用期間終了後に空きポケットに葉書、封筒等を入れて保管袋、その他重要書類の保管袋として活用できる。また、写真等のアルバム、ファイル等に使用することが可能である。
【図面の簡単な説明】
【００３７】
【図１】本発明の一実施例におけるカレンダー収納体を示すもので、（Ａ）はクリアポケットカレンダーを表面側から見た斜視図で、（Ｂ）は裏面側から見た斜視図である。
【図２】上記カレンダー収納体のポケット差し込み口の拡大説明図である。
【図３】本発明に係るカレンダー収納体の状態を示すもので、（Ａ）は製造直後の状態を示し、（Ｂ）は一日経過したカレンダー収納体の状態を示す説明図である。
【図４】本発明の他の実施例におけるカレンダー収納体を示す説明図である。
【図５】本発明の他の実施例におけるカレンダー収納体を示す説明図である。
【図６】本発明の他の実施例におけるカレンダー収納体を示す説明図である。
【図７】本発明の他の実施例におけるカレンダー収納体を示す説明図である。
【図８】従来におけるカレンダーの一例を示す説明図である。
【符号の説明】
【００３８】
１０……支持体
１１……係止片
１２……名入れ片
１３……ポケット
１５……係止孔
１６……差し込み口
１８……折り目
ｅ……シール部
ｋ……切り欠き
ｈ……切り込み
２０……カレンダー収納体
２１……硬質プラスチックによる補強片
２１ａ…補強片
３１……紐
３２……支持板
３３……暦カード
３５……連結具
３６……差し込み具
【図１】
2005335152.tif 000003
【図２】
2005335152.tif 000004
【図３】
2005335152.tif 000005
【図４】
2005335152.tif 000006
【図５】
2005335152.tif 000007
【図６】
2005335152.tif 000008
【図７】
2005335152.tif 000009
【図８】
2005335152.tif 000010